(57)【特許請求の範囲】
【請求項１】
無線通信ネットワーク（１００）に含まれ、ユーザ装置に関連する少なくとも１つの１次追跡エリアの特定に使用する情報収集のためのデータ収集ネットワークノード（１３０、１４０）における方法であって、
追跡エリアアイデンティティを取得するステップ（２０５、２１０）と、
前記取得した追跡エリアアイデンティティによって特定される追跡エリアの使用に関する情報を登録するステップ（２２０、２２５）と、
前記取得した追跡エリアアイデンティティによって特定される前記追跡エリアに位置する前記ユーザ装置に対する測定値を決定するステップであって、前記ユーザ装置が当該追跡エリアに位置する場合に前記ユーザ装置からページング応答を受信する可能性と、前記追跡エリアの前記ユーザ装置によって費やされる時間と、前記ユーザ装置によって横断される前記追跡エリアの境界と、の少なくとも１つに前記測定値が基づく、前記測定値を決定するステップと、
前記測定値が閾値を超える場合に、少なくとも１つの１次追跡エリアのアイデンティティとして、前記追跡エリアアイデンティティを選択するステップと
を含み、
前記データ収集ネットワークノードは、前記ユーザ装置の移動性を管理するネットワークノードを備え、
前記取得した追跡エリアアイデンティティは、前記無線通信ネットワークにおいて無線ネットワークノードから受信されることを特徴とする方法。
【請求項２】
前記追跡エリアアイデンティティは、サービス又は追跡エリア更新要求若しくはページング応答から、又は、共に取り出され、
前記サービス又は追跡エリア更新要求若しくはページング応答のそれぞれ１つは、前記データ収集ネットワークノード（１３０、１４０）によって送信可能であるか、又は、受信可能であることを特徴とする請求項１に記載の方法。
【請求項３】
前記使用に関する情報は、セル滞在時間、追跡エリア滞在時間、ページング応答の数、サービス要求、追跡エリア入域情報、追跡エリア境界越え情報、滞在セルのアイデンティティ、及び訪問追跡エリアアイデンティティの少なくとも１つの情報項目に関する情報を含むことを特徴とする請求項１又は２に記載の方法。
【請求項４】
前記情報項目の少なくとも１つは、一日の異なる期間ごと、日ごと、週ごと、月ごと、又は年ごとの少なくとも１つの時間期間へ区分されることを特徴とする請求項３に記載の方法。
【請求項５】
前記ステップ（２２０、２２５）において登録した前記情報を第１のネットワークノード（１０１）へ送信するステップをさらに含み、
前記第１のネットワークノード（１０１）は、前記無線通信ネットワーク（１００）に含まれ、少なくとも１つの１次追跡エリアを選択するために前記登録した情報を使用することを特徴とする請求項１乃至４の何れか１項に記載の方法。
【請求項６】
前記閾値は、前記ユーザ装置（１４０）が前記選択した追跡エリアアイデンティティの前記追跡エリアに位置する場合にページング応答を受信する可能性、前記追跡エリアで該ユーザ装置によって費やされる時間、追跡エリア入域情報、及び追跡エリア境界越え情報の少なくとも１つに基づいて、予め設定されるか、又は、動的に決定されることを特徴とする請求項１乃至５の何れか１項に記載の方法。
【請求項７】
前記データ収集ネットワークノード（１３０）は、一時的に、前記ユーザ装置（１４０）からの追跡エリア更新要求に応じて該ユーザ装置（１４０）に対して唯一１つの追跡エリアを割り当てることを特徴とする請求項１乃至６の何れか１項に記載の方法。
【請求項８】
前記無線通信ネットワーク（１００）は、さらに、コアネットワークノード（１０１、１３０）を含み、
前記追跡エリアアイデンティティを選択する前記ステップは、前記ステップ（２２０、２２５）において登録した前記情報に基づいて、１次追跡エリアを特定するために使用される前記追跡エリアアイデンティティを選択し、
前記方法は、さらに、
前記コアネットワークノード（１０１、１３０）へ前記追跡エリアアイデンティティを送信するステップと
を含むことを特徴とする請求項１に記載の方法。
【請求項９】
コアネットワークノードを含む無線通信ネットワーク（１００）に含まれ、ユーザ装置に関連する少なくとも１つの１次追跡エリアの特定に使用する情報収集のためのデータ収集ネットワークノード（１３０、１４０）における装置であって、
追跡エリアアイデンティティを取得する取得部（４２０）と、
前記取得した追跡エリアアイデンティティによって特定される追跡エリアの使用に関する情報を登録し、前記登録した情報に基づき、少なくとも１つの１次追跡エリアのアイデンティティとして、前記追跡エリアアイデンティティを選択し、前記追跡エリアアイデンティティを前記コアネットワークノードへ送信し、前記登録した情報を前記コアネットワークノードへ送信する処理部（４１０）と
を備え、
前記データ収集ネットワークノードは前記ユーザ装置であり、
前記少なくとも１つの１次追跡エリアのアイデンティティとして、前記追跡エリアアイデンティティを選択するために、前記データ収集ネットワークノードは、
前記ユーザ装置における測定値であって、前記ユーザ装置が前記追跡エリアに位置する場合に該ユーザ装置からページング応答を受信する可能性、前記追跡エリアで該ユーザ装置によって費やされる時間、、前記ユーザ装置によって横断される前記追跡エリアの境界の少なくとも１つに基づく前記測定値を決定し、
前記測定値が閾値を超えると、前記１次追跡エリアを特定するために使用される前記追跡エリアアイデンティティを選択するように構成されることを特徴とする装置。
【発明の詳細な説明】
【技術分野】
【０００１】
本発明は少なくとも１つの１次追跡エリアを設定および／または使用する方法および装置、より詳細には少なくとも１つの１次追跡エリアとして使用する少なくとも１つの追跡エリアを選択するコアネットワークノードにおける方法および装置、少なくとも１つの１次追跡エリアの特定に使用する情報収集のためのデータ収集ネットワークノードにおける方法および装置、およびユーザ装置をページングする第２のネットワークノードにおける方法および装置に関する。
【背景技術】
【０００２】
現在の（位置／ルーティング／追跡）エリアの登録を使用して移動加入者の現在の所属をセルラーネットワークに通知する。この情報は加入者ユーザ装置（ＵＥ、user equipment）のページングに使用するセル数の制限に使用する。登録がなければ、全てのセルをページングしなければならず、後者の手法は共通尺度を持たない。他方登録は信号負荷をも引き起こす。これはネットワークが登録とページング負荷間でバランスするようにしなければならないことを意味する。
【０００３】
エボルブドパケットシステムのための第３世代パートナシッププロジェクト（３ＧＰＰ  ＥＰＳ、3rd Generation Partnership Project for Evolved Packet System、即ちシステム構成のエボリューション／ロングタームエボリューション、System Architecture Evolution/Long Term Evolution、ＳＡＥ／ＬＴＥ）システムは、ネットワークに登録する時期に関する個々の情報（複数の追跡エリアアイデンティティ(ＴＡＩｓ（tracking area identities）)を含むことができる所謂追跡エリア（ＴＡ、Tracking Area）リスト）をユーザ装置に提供する可能性を招来する。ネットワークはＴＡリストにある全ての追跡エリアのユーザ装置をページングするであろう。従ってユーザ装置がＴＡリストの追跡エリア間を移動する限り、その新位置をネットワーク（例えば追跡エリア更新の実行により）に通知する必要はない。ＴＡＩｓのこのリストは時にＴＡリストと呼び、時にＴＡＩリストと呼ぶことに注意されたい。移動性管理エンティティ（ＭＭＥ、mobility management entity）は所属（ATTACH）、追跡エリア更新（ＴＡＵ、Tracking Area Update ）およびＧＵＴＩ（Global Unique Temporary Identity、グローバルに固有の一時的アイデンティティ）再割り当てのような幾つかのＥＭＭ（ＥＰＳ Mobility Management）手順に関する新ＴＡリストをユーザ装置に割り当てることができる。ＧＵＴI再割り当て手順は通常別の移動性管理手順と関連して、例えばＴＡＵまたは所属手順の一部として実行するが、原理的にはユーザ装置がＥＭＭ−登録状態にある間（即ちＵＥにＥＭＭコンテキストがある場合）に随時実行することができることに注意されたい。これはユーザ装置がＥＭＭ−登録状態にある間は随時ＭＭＥが新ＴＡリストをユーザ装置に割り当てることができることを意味する。
【０００４】
登録（追跡エリア更新）およびページング双方の過剰な信号はシステム信号負荷の原因となる。それ故ネットワークにおける信号負荷を削減する解決策を見つける必要がある。信号負荷を削減すれば、ネットワークノードコストも減少する。
【発明の概要】
【発明が解決しようとする課題】
【０００５】
本発明の目的は追跡エリア更新要求および／またはページングによる無線通信ネットワークにおける負荷を削減する方法および装置の提供である。
【課題を解決するための手段】
【０００６】
本発明の態様によれば、ユーザ装置に関連する少なくとも１つの１次追跡エリアの特定に使用する情報収集のための移動性管理エンティティまたはユーザ装置のようなデータ収集ネットワークノードにおける方法により、本目的を達成する。ＥＰＳのような無線通信ネットワークはデータ収集ネットワークノードを含む。あるステップで、データ収集ネットワークノードは追跡エリアアイデンティティを取得する。別のステップで、データ収集ネットワークノードは取得追跡エリアアイデンティティにより特定する追跡エリアの使用に関する情報を登録する。
【０００７】
本発明の別の態様によれば、ユーザ装置に関連する少なくとも１つの１次追跡エリアの特定に使用する情報収集のためのデータ収集ネットワークノードにおける装置により、本目的を達成する。ＥＰＳのような無線通信ネットワークはデータ収集ネットワークノードを含む。装置は好ましくはサービスまたは追跡エリア更新要求若しくはページング応答から（または以上に関して）追跡エリアアイデンティティを取得するようにする取得部を含み、サービスまたは追跡エリア更新要求若しくはページング応答のそれぞれ１つはデータ収集ネットワークノードにより送信可能であるか、または受信する。さらにその上、装置は取得追跡エリアアイデンティティにより特定する追跡エリアの使用に関する情報を登録するようにする登録部（または処理部）を含む。
【０００８】
本発明のさらなる態様によれば、ユーザ装置の少なくとも１つの１次追跡エリアとして使用する少なくとも１つの追跡エリアアイデンティティの選択のためのホーム加入者サーバまたは移動性管理エンティティのようなコアネットワークノードにおける方法により、本目的を達成する。無線通信ネットワークはコアネットワークノードおよびユーザ装置を含む。あるステップで、コアネットワークノードはユーザ装置の少なくとも１つの追跡エリアに関する情報を取得する。別のステップで、コアネットワークノードは少なくとも１つの追跡エリアに位置するユーザ装置の測定値を決定する。測定値はユーザ装置が追跡エリアに位置すればユーザ装置からのページング応答受信確率、ユーザ装置が追跡エリアで費やす時間およびユーザ装置による追跡エリア境界越え情報の１つ以上に基づく。別のステップでコアネットワークノードは、測定値が閾値を超えれば１次追跡エリアとして使用する前記少なくとも１つの追跡エリアアイデンティティを選択する。
【０００９】
本発明のさらに別の態様によれば、ユーザ装置の少なくとも１つの１次追跡エリアとして使用する少なくとも１つの追跡エリアアイデンティティの選択のためのＨＳＳ（Home Subscriber Server）またはＭＭＥのようなコアネットワークノードにおける装置により、本目的を達成する。無線通信ネットワークはコアネットワークノードおよびユーザ装置を含む。装置はユーザ装置の追跡エリアに関する情報を取得するようにする取得部即ち受信部を含む。さらにその上、装置は追跡エリアに位置するユーザ装置の測定値を決定するようにする処理部または決定部を含み、測定値はユーザ装置が追跡エリアに位置すればユーザ装置からのページング応答受信確率、ユーザ装置が追跡エリアで費やす時間およびユーザ装置による追跡エリア境界越え情報の１つ以上に基づく。処理部は、測定値が第１の閾値を超えれば１次追跡エリアとして使用する前記少なくとも１つの追跡エリアアイデンティティを選択（または特定）するようにさらにする。
【００１０】
本発明のなおさらなる態様によれば、ユーザ装置をページングする移動性管理エンティティのような第２のネットワークノードにおける方法により、本目的を達成する。第２のネットワークノードは追跡エリアアイデンティティリストを管理し、リストは少なくとも１つの１次追跡エリアを特定する少なくとも１つの追跡エリアアイデンティティを含む。前記追跡エリアアイデンティティおよび前記少なくとも１つの１次追跡エリアにより特定する追跡エリアのそれぞれは第３の無線ネットワークノードによりサービスを提供する少なくとも１つのセルに関連する。第３の無線ネットワークノードは第２のネットワークノードにより管理する。無線通信ネットワークは第２のネットワークノード、第３の無線ネットワークノードおよびユーザ装置を含む。あるステップで、第２のネットワークノードは前記少なくとも１つの１次追跡エリアに関連する少なくとも１つのセルのユーザ装置をページングする。前記少なくとも１つの１次追跡エリアに関連する前記少なくとも１つのセルのユーザ装置をページングするステップにより駆動し、ユーザ装置から応答を受信しなければ、その場合第２のネットワークノードは追跡エリアアイデンティティリストの追跡エリアアイデンティティの中で選択追跡エリアアイデンティティセットに関連するセルのユーザ装置をページングする。
【００１１】
本発明のその上さらなる態様によれば、ユーザ装置をページングするＭＭＥのような第２のネットワークノードにおける装置により、本目的を達成する。第２のネットワークノードは追跡エリアアイデンティティリストを管理し、リストは少なくとも１つの１次追跡エリアを特定する少なくとも１つの追跡エリアアイデンティティを含む。前記追跡エリアアイデンティティおよび前記少なくとも１つの１次追跡エリアアイデンティティにより特定する追跡エリアのそれぞれは第３の無線ネットワークノードによりサービスを提供する少なくとも１つのセルに関連する。第３の無線ネットワークノードは第２のネットワークノードにより管理する。無線通信ネットワークは第２のネットワークノード、第３の無線ネットワークノードおよびユーザ装置を含む。装置は前記少なくとも１つの１次追跡エリアアイデンティティに関連する少なくとも１つのセルのユーザ装置をページングするようにするページング部（または処理部）を含む。その上、前記少なくとも１つの１次追跡エリアアイデンティティに関連する前記少なくとも１つのセルのユーザ装置のページングにより駆動し、ユーザ装置から応答を受信しなければ、ページング部は追跡エリアアイデンティティセットに関連するセルのユーザ装置をページングするようにさらにすることができる。追跡エリアアイデンティティセットは追跡エリアアイデンティティリストの追跡エリアアイデンティティの中で選択する。
【００１２】
本発明の考えは、ロングタームまたは準ロングターム統計を使用して、以後１次追跡エリアと呼ぶ特別な「状態」または１次追跡エリア特定情報を有する少なくとも１つの追跡エリアを特定し、選択することである。ユーザ装置がこの１次追跡エリア（単数または複数）内またはその近くに位置する場合、前記少なくとも１つの１次追跡エリアを特に有益な方法で利用することができる。追跡エリアの選択機会は、例えばユーザ装置の動きまたは電源投入によりユーザ装置がネットワークから新追跡エリアリストを必要とする場合である。従って本解決策は、追跡エリア選択機会とは独立に、追跡エリア選択機会の間にデータ構造を使用し、繰り返し再使用することができる少なくとも１つの１次追跡エリアの形におけるようなデータ構造を計算する。
【００１３】
１次追跡エリアはユーザ装置が位置し、好ましくは比較的高い確率によりその追跡エリアに位置するであろう追跡エリアを示すので、１次追跡エリアにおけるユーザ装置のページングは明確なページング応答を得ることに最もなりやすいであろう。ユーザ装置の１次追跡エリアに関する使用情報は移動性管理エンティティまたはユーザ装置のようなデータ収集ネットワークノードにより収集することができる。１次追跡エリアの選択は使用に関する収集情報に基づく。１次追跡エリアであると考えない他の追跡エリアは、明確なページング応答を受信しない場合にのみページングする。結果として、より少ない追跡エリアのページングを必要とし、より少ない追跡エリア更新要求の送信を必要とし、これによりページングの総体的信号負荷の削減および従って干渉の削減を生む。
【００１４】
有利には追跡エリア更新手順およびページング手順のために通信デバイス即ちユーザ装置とＭＭＥのような第２のネットワークノード間の信号手順への変更なく、ＥＰＳネットワークのような既存無線通信システムにおいて、本解決策を実装することができる。
【００１５】
本発明のさらなる特徴および利点は以下の説明を検討すれば明らかになろう。当業者は本発明の種々の特徴を組み合わせて以下に説明するもの以外の実施形態を作成できる。
【００１６】
その特定の特徴および利点を含む本発明の種々の態様は以下の詳細な説明および添付する図面から容易に理解されよう。
【図面の簡単な説明】
【００１７】
本発明は、添付の図面を参照して以下でより詳細に説明される。
【図１】本発明を適用することができる概要例示システムを示す。
【図２】図１によるシステムにおいて実行する方法の実施形態の概要結合信号およびフローチャートを示す。
【図３】第２のネットワークノードと第３の無線ネットワークノード間の送信メッセージの概要信号図を示す。
【図４】データ収集ネットワークノードにおける方法の実施形態の概要フローチャートを示す。
【図５】データ収集ネットワークノードにおける装置の実施形態の概要ブロック図を示す。
【図６】コアネットワークノードにおける方法の実施形態の概要フローチャートを示す。
【図７】コアネットワークノードにおける装置の実施形態の概要ブロック図を示す。
【図８】第２のネットワークノードにおける方法の実施形態の概要フローチャートを示す。
【図９】第２のネットワークノードにおける装置の実施形態の概要ブロック図を示す。
【発明を実施するための形態】
【００１８】
以下の説明を通して、適用可能な場合類似の要素、部分、項目または特徴を表すのに、類似の参照番号を使用した。
【００１９】
表現「ユーザ装置」は制限しないが、移動端末、移動電話機、パーソナルディジタルアシスタント、移動局、適する通信機を備えるポータブルコンピュータ、適する通信機を備える据え置きコンピュータおよび同類を含むことが注目されよう。
【００２０】
図１は無線通信ネットワーク１００の概要全体像を示す。無線通信ネットワーク１００はＨＳＳ１０１（第１のネットワークノード）、ＭＭＥ１３０、１３１（第２のネットワークノード）、第３の無線ネットワークノード１２０，１２１、１２２およびユーザ装置１４０を含む。無線基地局ネットワークノードのような第３の無線ネットワークノード１２０，１２１、１２２はＭＭＥ１３０、１３１によりサービスの提供を受ける。各無線基地局ネットワークノード１２０、１２１、１２２は少なくとも１つのセル１１０、１１１、１１２と関連する。さらにその上、追跡エリア特定情報（または追跡エリアのアイデンティティとも呼ぶ）は少なくとも１つのセル１１０、１１１、１１２と関連する。第１および第２のネットワークノード１０１、１３０はコアネットワークノード１０１、１３０に含むことができる。従って以下でコアネットワークノードを参照する場合、表現「コアネットワークノード」は第１および第２のネットワークノード１０１、１３０の何れか１つを意味すると理解すべきである。その上、データ収集ノードは第２のネットワークノードおよびユーザ装置の何れか１つを含むことができる。
【００２１】
図２を参照すると、１次追跡エリア特定情報として使用する少なくとも１つの追跡エリアまたは追跡エリア特定情報を特定する無線通信ネットワーク１００における方法のフローチャートと信号伝達とを結合して示す。
【００２２】
２０５  ステップ２０５で、ＵＥはＴＡＵ要求、サービス要求またはページング応答を送信する。
【００２３】
２１０  ステップ２１０で、例えば追跡エリア更新、サービス要求またはページング応答若しくは以上の組み合わせに関するメッセージをＵＥ１４０から転送し、ＵＥからのメッセージが追跡エリア特定情報をもまた含むことができる場合、無線ネットワークノード１２０、１２１、１２２はＵＥの現セルに関連する追跡エリア特定情報をＭＭＥ１３０に送信する。
【００２４】
２２０  ステップ２２０で、ＭＭＥ１３０、１３１（第２のネットワークノード）はＵＥおよび無線ネットワークノードから送信する追跡エリア特定情報に関する統計を収集即ち集める。例えば、セルおよびＴＡにおける滞在時間、ページング応答およびサービス要求、ＴＡ入域、ＴＡ境界越え、滞在セル（camped cells）および訪問ＴＡのような情報を記録することができ、１つ以上の前記情報の一部は恐らく一日の異なる時間期間当たりの、および／または週の異なる日当たりの統計に区分することができる。以下の各情報の一部に関するより多くの説明を参照。
【００２５】
２２５  ステップ２２０に加えて、または代わりに実行するオプションのステップ２２５で、ユーザ装置１４０はＵＥおよび無線ネットワークノードから送信する追跡エリア特定情報に関する統計を収集即ち集める。例えばセルおよびＴＡにおける滞在時間、ページング応答およびサービス要求、ＴＡ入域、ＴＡ境界越え、滞在セルおよび訪問ＴＡのような情報を記録することができ、１つ以上の上記情報の一部は恐らく一日の異なる時間期間ごとの、および／または週の異なる日ごとの統計に区分することができる。以下の各情報の一部に関するより多くの説明を参照。ステップ２３０はステップ２２０を実行した場合にのみ実行する、即ちステップ２２０の代わりにステップ２２５を実行した場合にはステップ２３０を実行しない。
【００２６】
２３０  オプションのステップ２３０で、ＭＭＥはＴＡ特定情報即ちエンティティおよび追跡エリアの収集統計または情報をＨＳＳ１０１または運用および管理ノード（図示せず）Ｏ＆Ｍノードにさらなる処理のために送信する。
【００２７】
２３５  オプションのステップ２３５で、ユーザ装置はＴＡ特定情報即ちエンティティおよび追跡エリアの収集統計または情報を第２のネットワークノード１３０にさらなる処理のために送信する。幾つかの場合、第２のネットワークノードは単に追跡エリアの収集統計または情報をＨＳＳに転送し、ＨＳＳは１次ＴＡを選択する（ステップ２５０および２６０を参照）。ステップ２３５はステップ２２５を実行した場合にのみ実行する。
【００２８】
２４０  ステップ２４０で、ＨＳＳ１０１（またはＯ＆Ｍノード）は１つ以上のＭＭＥ１３０、１３１からＴＡ特定情報およびＴＡに関する情報を受信する。ステップ２４０はステップ２２０を実行した場合にのみ実行する、即ちステップ２２０の代わりにステップ２２５を実行した場合には実行しない。
【００２９】
２５０  ステップ２５０で、ＨＳＳ１０１は受信情報に基づき各受信ＴＡの測定値を決定する。例えば測定値は受信追跡エリアに位置するＵＥの確率でありえ、確率測定値は好ましくは受信追跡エリアのＵＥをページングする場合ＵＥからのページング応答受信確率および／またはＵＥが受信追跡エリアで費やす時間に基づく。
【００３０】
２６０  ステップ２６０で、決定測定値が一定の閾値を超えればＨＳＳ１０１は１次ＴＡとしてＴＡを選択する。閾値は事前に構成するか、またはＴＡに関する受信情報に基づき動的に設定することができる。ステップ２４５および２６５はステップ２２０，２３０および２４０を実行した場合にのみ実行する、即ちステップ２２０の代わりにステップ２２５を実行した場合には実行しない。
【００３１】
２５５  オプションのステップ２５５で、ＭＭＥ１３０は各ＴＡの測定値を決定する。例えば測定値は受信追跡エリアに位置するＵＥの確率でありえ、確率測定値は好ましくは受信追跡エリアのＵＥをページングする場合ＵＥからの受信ページング応答確率および／またはＵＥが受信追跡エリアで費やす時間に基づく。
【００３２】
２６５  オプションのステップ２６５で、測定値が一定の閾値を超えればＭＭＥ１３０は１次追跡エリアとして受信追跡エリアを設定する。オプションとしてＵＥが以前に登録した幾つかの追跡エリアに位置する場合、ＵＥのページングおよびページング応答の確率に基づき、閾値を決定する。ページングおよび／または追跡エリア更新要求によるネットワーク負荷を削減するように、閾値を設定することができる。このように、ページングおよび／または追跡エリア更新要求によるネットワーク負荷を削減するように、閾値を設定する。ステップ２５５および２６５はステップ２２５およびステップ２３５を実行した場合にのみ実行する。
ステップ２２５で収集する統計に基づき統計から導出する測定値の閾値との比較後にＵＥ１４０が１次ＴＡを決定することも可能である。そのような場合、ＵＥ１４０は選択する１次ＴＡのＴＡＩをステップ２３５でＭＭＥ１３０に伝送する。
【００３３】
測定値は収集する統計から動的に導出するという意味で、測定値はページング応答の送受信確率、ＴＡで費やす時間などに基づくことに注目されよう。他方閾値はこれらのパラメータ（即ち閾値と比較する測定値と同じ単位）によって表現するが、閾値自体は収集する統計から動的に導出しなくともよいという意味でページング応答、ＴＡで費やす時間などの送受信に基づく。閾値はまた事前構成することもできる。
【００３４】
次に図３を参照して、少なくとも１つの１次追跡エリア特定情報の利点を得ると同時にユーザ装置（ＵＥ）をページングする無線通信ネットワーク１００における方法の概要、結合信号およびフローチャートを示す。幾つかの次のステップを実行することができる。
【００３５】
３１０  ステップ３１０で、ＭＭＥ１３０は１次追跡エリア特定情報に関連するセル１１１（単数または複数）におけるページングメッセージの送信により（またはより正確には、セル１１１（単数または複数）にサービスを提供する無線基地局（単数または複数）にＵＥ１４０へのページングメッセージ（単数または複数）の送信要求により）ＵＥ１４０をページングする。
【００３６】
３１５  オプションのステップ３１５（図示せず）で、ＭＭＥは所定の時間の間ＵＥからのページング応答を待つ。所定の時間の間はネットワークの構成時に設定することができるか、または例えば１日の内の時間に応じてまたは１次追跡エリア特定情報に設定する閾値に応じてさえ動的に調整することができる。例えば、より短い所定の時間の間はより低い閾値に使用することができ、より長い所定の時間の間はより高い閾値に使用することができる。他の方法の周りでも可能である、即ちより長い所定の時間の間はより低い閾値に、より短い所定の時間の間はより高い閾値に使用する。
【００３７】
３２０  ステップ３２０で、所定の時間の間内にＵＥ１４０からページング応答を受信しなければ、ＭＭＥは１次追跡エリア特定情報に関連しないセル（単数または複数）の（およびオプションとしてまた１次追跡エリア特定情報に関連するセル（単数または複数）において）（またはより正確には、セル（単数または複数）にサービスを提供する無線基地局（単数または複数）にＵＥ１４０へのページングメッセージ（単数または複数）の送信要求により）ＵＥ１４０をページングする。
【００３８】
図４において、ユーザ装置に関連する少なくとも１つの１次追跡エリアの特定に使用する情報を収集するＭＭＥ（即ち第２のネットワークノード）またはユーザ装置のようなデータ収集ネットワークノード１３０、１４０における方法の概要フローチャートを図示し、ＥＰＳネットワークのような無線通信ネットワークはデータ収集ネットワークノードを含む。次のステップを実行することができる。
【００３９】
２０５  ステップ２０５で、データ収集ネットワークノード１３０、１４０は好ましくはサービスまたは追跡エリア更新要求若しくはページング応答から（または以上に関して）追跡エリアアイデンティティを取得し、サービスまたは追跡エリア更新要求若しくはページング応答のそれぞれ１つはデータ収集ネットワークノードにより送信可能であるか、または受信可能である。
【００４０】
２２０  ステップ２２０で、データ収集ネットワークノード１３０、１４０は取得追跡エリアアイデンティティにより特定する追跡エリアの使用に関する情報を登録（収集）し、情報は少なくとも１つの１次追跡エリアの特定に使用することとする。
【００４１】
有利には、データ収集ネットワークノードはＭＭＥのような第２のネットワークノードである。このように、ＵＥの振舞いは影響を受けない。従って、ＵＥに関する後方両立性問題を回避する。
【００４２】
データ収集ネットワークノード１３０、１４０における方法の幾つかの実施形態で、使用に関する情報は次の項目、セル滞在時間、追跡エリア滞在時間、ページング応答数、サービス要求、追跡エリア入域情報、追跡エリア境界越え情報、（データ収集ネットワークノードがユーザ装置の場合に適用する）滞在セルのアイデンティティおよびユーザ装置が訪問する追跡エリアアイデンティティの１つ以上に関する情報を含み、オプションとして１つ以上の前記項目を１日の内の間隔、日、週、月または年のような１つ以上の時間の間隔に区分即ち分類する。さらにその上、使用に関する情報が移動端末に関連する（フェムトセルとも呼ぶ）閉加入者グループ（ＣＳＧ、Closed Subscriber Group）セルに関する情報を含むことを企図する。
【００４３】
データ収集ネットワークノードにおける方法の幾つかの実施形態で、第３の無線ネットワークノードはユーザ装置の現セルにサービスを提供する無線基地局である。
【００４４】
データ収集ネットワークノードにおける方法の幾つかの実施形態で、データ収集ネットワークノードは移動性管理エンティティＭＭＥのような第２のネットワークノード１３０であり、取得追跡エリアアイデンティティは第３の無線ネットワークノード１２１から第２のネットワークノード１３０により受信する。無線通信ネットワーク１００は第３の無線ネットワークノード１２１を含む。オプションとして、ユーザ装置はしかしながら追跡エリア更新要求メッセージにおいて（および／または所属要求メッセージにおいて）「最終訪問登録エリアＴＡ」を特定する追跡エリア特定情報を供給する。この情報の目的はＭＭＥの「追跡エリア特定情報リスト割り当てアルゴリズム」への幾らかの入力を提供することである。
【００４５】
データ収集ネットワークノードにおける方法の幾つかの実施形態で、データ収集ネットワークノードはＭＭＥのような第２のネットワークノードであり、本方法はＨＳＳのような第１のネットワークノードに登録情報の送信ステップ２３０をさらに含み、第１のネットワークノードは登録情報に基づき少なくとも１つの１次追跡エリアの選択に登録情報を使用するようにし、第１のネットワークノードは無線通信ネットワークに含む。例えば、第１のおよび第２のＭＭＥを管理するＨＳＳは従って第１のおよび第２のＭＭＥからセル／追跡エリアの使用に関する情報を受信することができ、それにより１次追跡エリアの選択により大きな統計的基盤を得る。その上、大部分のＭＭＥに反しＨＳＳは後のセッションで使用する受信情報を永久に蓄積する。データ収集ネットワークノードがＭＭＥのような第２のネットワークノードである幾つかの実施形態で、ステップ２３０で第２のネットワークノードはＨＳＳに代わり運用および維持（Ｏ＆Ｍ）ノードに登録情報を送信する。
【００４６】
データ収集ネットワークノードにおける方法の幾つかの実施形態で、データ収集ネットワークノードはＭＭＥのような第２のネットワークノードである。無線通信ネットワークは取得追跡エリアアイデンティティにより特定する追跡エリアにオプションとして位置するユーザ装置をさらに含む。本方法は１つ以上の次のステップを含む。
【００４７】
２３０  ステップ２３０で、第２のネットワークノード１３０はＴＡ特定情報即ちアイデンティティおよび追跡エリアの収集統計または情報をさらなる処理のためにＨＳＳ１０１またはＯ＆Ｍノード、運用および管理ノード（図示せず）に送信する。ＨＳＳ（Ｏ＆Ｍ）ノードがこのように（幾つかのＭＭＥからの情報受信により）ネットワークに亘る全体像を入手し、総体的収集統計を処理し、１次追跡エリアを計算できるノードであることが注目されよう。これは一般にＭＭＥにより実行せず、ＭＭＥはＵＥの所在に関する完全な全体像を入手せず、ただＨＳＳまたはＯ＆Ｍにとり利用可能な統計情報の一部を有するにすぎない。ＭＭＥは収集情報をＨＳＳ（またはＯ＆Ｍノード）への送信前にある程度（例えば、ＴＡにおいて費やす時間によるページング応答数の区分）正確化することができるが、大抵の場合第２のネットワークノード、即ちＭＭＥは単に情報をＨＳＳ（またはＯ＆Ｍノード）に転送するだけである。
【００４８】
２５５  ステップ２５５で、第２のネットワークノード１３０はユーザ装置の測定値を決定し、測定値は好ましくはユーザ装置が追跡エリアに位置する場合のページング並びにユーザ装置からのページング応答受信の確率および／またはユーザ装置が追跡エリアで費やす時間に基づく。異なる表現をすれば、測定値は好ましくはユーザ装置が追跡エリアに位置すればユーザ装置からのページング応答の受信確率、ユーザ装置が追跡エリアで費やす時間および追跡エリア境界越え情報の１つ以上に基づく。
【００４９】
データ収集ネットワークノードが第２のネットワークノードである、データ収集ネットワークノード１３０における方法の幾つかの実施形態で、第２のネットワークノードはユーザ装置からの追跡エリア更新要求に応じてユーザ装置にただ１つの追跡エリアのみを割り当てるように一時的にする。このように、ユーザ装置が現割り当て追跡エリアを去ると直ちに、ユーザ装置は追跡エリア更新要求を送信する必要があるであろう故、第２のネットワークノードはユーザ装置の動きをより密接に追うことができる。第２のネットワークノードは次いで追跡エリアを登録することができるであろうし、そのアイデンティティは追跡エリア更新要求と共に伝達する。
【００５０】
データ収集ネットワークノード１３０、１４０における方法の幾つかの実施形態で、データ収集ネットワークノード１３０、１４０はユーザ装置１４０であり、追跡エリアアイデンティティは例えば第３のネットワークノードによりコアネットワークノード１０１、１３０に送信することができ、第３のネットワークノードはユーザ装置の現セルにサービスを提供する無線基地局であり、登録情報またはユーザ装置により選択する１次追跡エリアの追跡エリアアイデンティティはユーザ装置によりコアネットワークノード１０１、１３０に送信する。無線通信ネットワーク１００はコアネットワークノード１０１、１３０を含む。
【００５１】
データ収集ネットワークノードにおける方法の幾つかの実施形態で、データ収集ネットワークノードはユーザ装置１４０であり、追跡エリアアイデンティティは例えば第３の無線ネットワークノードによりコアネットワークノード１０１、１３０に送信可能であり（送信することができ）、第３の無線ネットワークノードはユーザ装置の現セルにサービスを提供する無線基地局であり、登録情報は定期的に第１のネットワークノードに送信する（適用可能であれば）。
【００５２】
データ収集ネットワークノードにおける方法の幾つかの実施形態で、データ収集ネットワークノードはユーザ装置１４０を含む。次のステップを実行することができる。
【００５３】
２６５  ステップ２６５で、測定値が閾値を超えれば、第２のネットワークノード１３０は１次追跡エリアとして使用する少なくとも１つの追跡エリアの前記少なくとも１つの追跡エリア特定情報を選択する（決定するか、または特定する）。換言すれば、選択追跡エリア特定情報は１次追跡エリアの特定に使用する。オプションとしてユーザ装置が以前に登録した幾つかの追跡エリアに位置する場合、ユーザ装置のページングおよびページング応答受信の確率に基づき、閾値を決定する。従って、閾値はページングする追跡エリアにユーザ装置が位置する確率に基づき決定する。異なる表現を使用すると閾値は、ユーザ装置が選択追跡エリアアイデンティティの追跡エリアに位置すれば、ページング応答を受信する確率に基づく。このように、閾値はページングおよび／または追跡エリア更新要求によるネットワーク負荷を削減するように設定する。
【００５４】
データ収集ネットワークノード１３０、１４０における方法の幾つかの実施形態で、無線通信ネットワーク１００はコアネットワークノード１０１、１３０をさらに含み、データ収集ネットワークノードはユーザ装置１４０を含む。本方法は次のステップをさらに含むことができる。
あるステップで、ユーザ装置は登録情報に基づき１次追跡エリアの特定に使用する追跡エリアアイデンティティを選択する。
別のステップでは、ユーザ装置はコアネットワークノード１０１、１３０に追跡エリアアイデンティティを送信する。
【００５５】
データ収集ネットワークノード１３０、１４０における方法の幾つかの実施形態で、１次追跡エリアを特定する追跡エリアアイデンティティを選択するステップは次のステップをさらに含む。
あるステップで、データ収集ネットワークノードはユーザ装置１４０の測定値を決定し、測定値は、ユーザ装置が追跡エリアに位置すればユーザ装置からのページング応答の受信確率、ユーザ装置が追跡エリアで費やす時間、追跡エリア入域情報および追跡エリア境界越え情報の１つ以上に基づく。
別のステップでは、データ収集ネットワークノードは、測定値が閾値を超えれば、１次追跡エリアの特定に使用する追跡エリアを選択する。オプションとしてユーザ装置が選択追跡エリアアイデンティティの追跡エリアに位置すれば、閾値はページング応答受信確率に基づく。
【００５６】
図５はユーザ装置に関連する少なくとも１つの１次追跡エリア特定情報の特定に使用する情報を収集するデータ収集ネットワークノードにおける装置４００の実施形態の概要ブロック図を示す。ＥＰＳのような無線通信ネットワーク１００はデータ収集ネットワークノード１３０を含む。装置４００は好ましくはサービスまたは追跡エリア更新要求若しくはページング応答から（または以上に関して）追跡エリアアイデンティティを取得するようにする取得ユニットを含み、サービスまたは追跡エリア更新要求若しくはページング応答のそれぞれ１つはデータ収集ネットワークノードにより送信可能であるか、または受信する。さらにその上、装置４００は取得追跡エリアアイデンティティにより特定する追跡エリアの使用に関する情報を登録するようにする処理ユニット４１０を含む。オプションとして、装置４００は送信ユニット４３０および受信部４２０を含むことができる。
【００５７】
データ収集ネットワークノードにおける装置４００の幾つかの実施形態で、使用に関する情報は次の項目、セル滞在時間、追跡エリア滞在時間、ページング応答数、サービス要求、追跡エリア入域情報、追跡エリア境界越え情報、滞在セルアイデンティティおよびユーザ装置が訪問する追跡エリアアイデンティティの１つ以上に関する情報を含み、オプションとして１つ以上の前記項目を１日の内の間隔、日、週、月または年のような１つ以上の時間の間隔に分類する。
【００５８】
データ収集ネットワークノードにおける装置４００の幾つかの実施形態で、データ収集ネットワークノードは移動性管理エンティティＭＭＥ（または第２のネットワークノード）であり、追跡エリアアイデンティティは第３の無線ネットワークノード１２１から取得部により取得する。無線通信ネットワーク１００は第３の無線ネットワークノード１２１を含む。
【００５９】
データ収集ネットワークノードにおける装置４００の幾つかの実施形態で、データ収集ネットワークノードはＭＭＥである。装置４００は登録情報をＨＳＳのような第１のネットワークノードに送信するようにする送信部４３０をさらに含む。第１のネットワークノードは１次追跡エリアの選択に登録情報を使用するようにし、第１のネットワークノードは無線通信ネットワークに含む。
【００６０】
データ収集ネットワークノードにおける装置４００の幾つかの実施形態で、データ収集ネットワークノードはＭＭＥである。無線通信ネットワークは取得追跡エリアアイデンティティにより特定する追跡エリアに位置するユーザ装置をさらに含む。装置４００はユーザ装置の測定値を決定するようにする処理部４１０をさらに含み、測定値は好ましくはユーザ装置が追跡エリアに位置する場合のページングおよびユーザ装置からのページング応答受信確率および／またはユーザ装置が追跡エリアで費やす時間に基づく。オプションとして測定値はユーザ装置が追跡エリアに位置すればユーザ装置からのページング応答受信の確率、ユーザ装置が追跡エリアで費やす時間および追跡エリア境界越え情報の１つ以上に基づくことができる。その上処理部４１０は、測定値が閾値を超えれば関連する追跡エリアを１次追跡エリアとして使用することとする前記少なくとも１つの追跡エリア特定情報を選択（または決定）するようにし、オプションとしてユーザ装置が以前に登録した幾つかの追跡エリアに位置する場合（すれば）、ユーザ装置のページングおよびページング応答受信の確率に基づき閾値を決定する。このように、閾値をページングおよび／または追跡エリア更新要求によるネットワーク負荷を削減するように設定する。
【００６１】
データ収集ネットワークノード１３０における装置４００の幾つかの実施形態で、データ収集ネットワークノード１３０、１４０はユーザ装置１４０であり、追跡エリアアイデンティティは例えば第３の無線ネットワークノードによりコアネットワークノード１０１、１３０に送信することができ、第３の無線ネットワークノードはユーザ装置の現セルにサービスを提供する無線基地局であり、登録情報またはユーザ装置が選択する１次追跡エリアの追跡エリアアイデンティティはユーザ装置によりコアネットワークノード１０１、１３０に送信する。無線通信ネットワーク１００はコアネットワークノード１０１、１３０を含む。
【００６２】
データ収集ネットワークノードにおける装置４００の幾つかの実施形態で、データ収集ネットワークノードはユーザ装置１４０であり、追跡エリアアイデンティティは例えば第３の無線ネットワークノードによりコアネットワークノード１０１、１３０に送信することができ、第３の無線ネットワークノードはユーザ装置の現セルにサービスを提供する無線基地局であり、登録情報はユーザ装置により（適用可能であれば）第１のネットワークノードに定期的に送信する。
【００６３】
データ収集ネットワークノード１３０における装置４００の幾つかの実施形態で、データ収集ネットワークノードはユーザ装置であり、無線通信ネットワーク１００はコアネットワークノード１０１、１３０をさらに含む。処理部４１０は登録情報に基づき１次追跡エリアの特定に使用する追跡エリアアイデンティティを選択するようにさらにすることができる。送信部４３０は追跡エリアアイデンティティをコアネットワークノード１０１、１３０に送信するようにさらにすることができる。
【００６４】
データ収集ネットワークノード１３０、１４０における装置４００の幾つかの実施形態で、処理部４１０はユーザ装置１４０の測定値を決定するようにさらにすることができ、測定値はユーザ装置が追跡エリアに位置すればユーザ装置からのページング応答受信の確率、ユーザ装置が追跡エリアで費やす時間、追跡エリア入域情報および追跡エリア境界越え情報の１つ以上に基づく。その上処理部４１０は、測定値が閾値を超えれば１次追跡エリアの特定に使用する追跡エリアアイデンティティを選択するようにさらにすることができる。オプションとしてユーザ装置が選択追跡エリアアイデンティティの追跡エリアに位置すれば、閾値はページング応答受信確率に基づく。
【００６５】
データ収集ネットワークノードが（ＭＭＥ１３０でありうる）第２のネットワークノードであるデータ収集ネットワークノードにおける装置４００の幾つかの実施形態で、第２のネットワークノードはユーザ装置からの追跡エリア更新要求に応じてユーザ装置にただ１つの追跡エリアのみを割り当てるように一時的にする。このように、ユーザ装置が現割り当て追跡エリアを去ると直ちに、ユーザ装置は追跡エリア更新要求を送信する必要があるであろう故、第２のネットワークノードはユーザ装置の動きをより密接に追うことができる。第２のネットワークノードは次いで追跡エリアを登録することができるであろうし、そのアイデンティティは追跡エリア更新要求と共に第２のネットワークノードに伝達する。
【００６６】
図６は、少なくとも１つの追跡エリアアイデンティティの選択のための第１のネットワーク（ＨＳＳ）１０１または第２のネットワークノード（ＭＭＥ）１３０のようなコアネットワークノード１０１における本方法の実施形態の概要フローチャートを示し、追跡エリアアイデンティティの関連する追跡エリアをＵＥの少なくとも１つの１次追跡エリアとして使用することとし、無線通信ネットワークはコアネットワークノードおよびＵＥを含む。次のステップを実行することができる。
【００６７】
２４０  ステップ２４０で、コアネットワークノード１０１、１３０はユーザ装置の少なくとも１つの追跡エリアに関する情報を取得し、情報は好ましくはセルおよび／または追跡エリア滞在時間、ページング応答およびサービス要求統計（例えば、前記少なくとも１つの追跡エリアに位置する間のユーザ装置からのページング応答頻度）、追跡エリア入域情報、追跡エリア境界越え情報、滞在セルまたはユーザ装置が訪問する追跡エリア若しくは以上の組み合わせの１つ以上を含み、オプションとして１つ以上の前記項目は恐らく１日の内の異なる時間間隔当たりおよび／または週の異なる日当たりの統計に区分する。
【００６８】
２５０  ステップ２５０で、コアネットワークノード１０１は追跡エリアに位置するユーザ装置の測定値を決定し、測定値はオプションとしてユーザ装置が追跡エリアに位置する場合（または位置すれば）ページングおよびユーザ装置からのページング応答受信の確率および／またはユーザ装置が追跡エリアで費やす時間に基づく。より一般的には、測定値はユーザ装置が追跡エリアに位置すればユーザ装置からのページング応答受信の確率、ユーザ装置が追跡エリアで費やす時間および追跡エリア境界越え情報の１つ以上に基づく。
【００６９】
２６０  ステップ２６０で、コアネットワークノード１０１は、測定値が第１の閾値を超えれば追跡エリア特定情報の関連する追跡エリアを１次追跡エリアとして使用することとする前記少なくとも１つの追跡エリア特定情報を選択（または特定）し、オプションとしてユーザ装置が以前に登録した幾つかの追跡エリアに位置する場合、閾値をユーザ装置のページングおよびページング応答受信の確率に基づき決定する。このように、閾値をページングおよび／または追跡エリア更新要求によるネットワーク負荷を削減するように設定する。
【００７０】
コアネットワークノードにおける本方法の幾つかの実施形態で、閾値はユーザ装置（ユーザ装置が現に位置するの）と同じＭＭＥプールに属する追跡エリアに関する情報のみに基づく。同じＭＭＥプールは１つ以上の第２のネットワークノード１３０を含むことができる。
【００７１】
コアネットワークノードにおける本方法の幾つかの実施形態で、本方法は測定値が第２の閾値を超えれば第２の追跡エリアとして使用する追跡エリアを特定する前記少なくとも１つの追跡エリア特定情報を選択するステップをさらに含み、オプションとしてユーザ装置が以前に登録した幾つかの追跡エリアに位置する場合（位置すれば）、閾値をＵＥのページングおよびページング応答受信の確率に基づき決定する。第２の閾値は取得情報にも基づくことができる。オプションとして第２の閾値は事前に構成するか、またはユーザ装置のための収集情報および／またはユーザ装置に対して決定する測定値若しくはユーザ装置（１４０）が選択追跡エリアアイデンティティの追跡エリアに位置すればページング応答受信の確率に基づき動的に決定する。
【００７２】
さらにコアネットワークノードにおける本方法の幾つかの実施形態で、少なくとも１つの１次追跡エリアの前記少なくとも１つの追跡エリア特定情報および少なくとも１つの２次追跡エリアの前記少なくとも１つの追跡エリア特定情報を追跡エリア更新数の削減および追跡エリア数またはページングに関係するセル数の削減それぞれ若しくはその逆に基づき選択する。さらにその上、少なくとも１つの１次追跡エリアの前記少なくとも１つの追跡エリア特定情報および少なくとも１つの２次追跡エリアの前記少なくとも１つの追跡エリア特定情報は共に追跡エリア更新数の削減および追跡エリア数またはページングに関係するセル数の削減並びにこれら２つの目的間のトレードオフに基づき選択することができる。
【００７３】
その上コアネットワークノードにおける本方法の幾つかの実施形態で、少なくとも１つの１次追跡エリアの前記少なくとも１つの追跡エリア特定情報および少なくとも１つの２次追跡エリアの前記少なくとも１つの追跡エリア特定情報を、さらに本明細書で説明するようにページング応答の種々の確率レベルまたは種々の滞在時間または同類のような種々の閾値との使用測定値の比較により選択する。
【００７４】
コアネットワークノードにおける本方法の幾つかの実施形態で、取得情報は加入者情報に含み、加入者情報は加入合意によるユーザ装置に関連する追跡エリア特定情報に関する情報を含む。各追跡エリア特定情報は追跡エリアに関連する。従って、その追跡エリアアイデンティティ（単数または複数）による追跡エリア（単数または複数）は加入合意によりユーザ装置に関連するということができる。その上追跡エリア特定情報はある加入者に関連するということができ、ある加入者は次いで１つ以上の個数のユーザ装置に関連しうる。これはある加入者が種々の個数のユーザ装置、例えば異なる機会に異なる移動電話機の使用を望む場合、または加入者がその移動電話機をより多くの機能および／または異なる外観を有するより新しいモデルとの取り換えを望む場合に生じ得る。従って適用可能な場合本願を通じて、表現「ユーザ装置」は加入者、ユーザ装置および／または加入者ユーザ装置を意味すると理解すべきである。コアネットワークノードはＨＳＳのような第１のネットワークノードでありうる。例えばユーザ装置が企業加入の下で動作すれば、その場合ユーザ装置は平日の間オフイス内にあることが多いと仮定することができる。従って１日の一定時間の間、オフイスの位置に相当するセルにおいてページングすれば、ユーザ装置が応答するであろう確率は高い。その場合オフイスの位置に相当するセルに関連する追跡エリア特定情報が１次追跡エリアを特定するようにするのは有利である。
【００７５】
図７は、ＵＥの少なくとも１つの１次追跡エリアとして使用する少なくとも１つの追跡エリアを特定する少なくとも１つの追跡エリアアイデンティティの選択のためのＨＳＳ１０１またはＭＭＥ１３０のようなコアネットワークノード１０１における装置７００の実施形態の概要ブロック図を示す。無線通信ネットワーク１００はコアネットワークノード１０１、１３０およびＵＥ１４０を含む。装置７００はユーザ装置の追跡エリアに関する情報を取得するようにする取得部７２０を含み、情報は好ましくはセルおよび／または追跡エリア滞在時間、ページング応答およびサービス要求統計、追跡エリア入域情報、追跡エリア境界越え情報、滞在セルまたはユーザ装置が訪問する追跡エリア若しくは以上の組み合わせを含み、オプションとして１つ以上の前記項目は恐らく一日の内の種々の時間期間当たりおよび／または週の種々の日当たりの統計に区分する。さらにその上装置７００は、追跡エリアに位置するユーザ装置の測定値を決定するようにする処理部７１０を含み、測定値は好ましくはユーザ装置が追跡エリアに位置する場合のページングおよびユーザ装置からのページング応答受信の確率および／またはユーザ装置が追跡エリアで費やす時間に基づく。処理部は測定値が第１の閾値を超えれば少なくとも１つの１次追跡エリアとして使用する少なくとも１つの追跡エリアを特定する前記少なくとも１つの追跡エリア特定情報を選択（または特定）するようにし、オプションとしてユーザ装置が以前に登録した幾つかの追跡エリアに位置する場合、ユーザ装置のページングおよびページング応答受信の確率に基づき閾値を決定する。他の言葉を使用すると測定値は、ユーザ装置が追跡エリアに位置する場合ユーザ装置からのページング応答受信の確率、ユーザ装置が追跡エリアで費やす時間および追跡エリア境界越え情報の１つ以上に基づく。オプションとして第１の閾値は事前に構成するか、またはユーザ装置のための収集情報および／またはユーザ装置に対して決定する測定値若しくはユーザ装置（１４０）が選択追跡エリアアイデンティティの追跡エリアに位置すればページング応答受信の確率に基づき動的に決定する。このように、閾値はページングおよび／または追跡エリア更新要求によるネットワーク負荷を削減するように設定する。
【００７６】
コアネットワークノードにおける装置７００の幾つかの実施形態で、閾値はユーザ装置と同じＭＭＥプールに属す追跡エリアに関する情報のみに基づく。コアネットワークノードはＭＭＥのような第２のネットワークノードでありうる。
【００７７】
コアネットワークノードにおける装置７００の幾つかの実施形態で、処理部７１０は、測定値が閾値を超えればユーザ装置の第２の追跡エリアとして使用する少なくとも１つの追跡エリアを特定する前記少なくとも１つの追跡エリア特定情報を選択するようにさらにし、オプションとしてユーザ装置が以前に登録した幾つかの追跡エリアに位置する場合、ＵＥのページングおよびページング応答受信の確率に基づき閾値を決定する。
【００７８】
コアネットワークノードにおける装置７００の幾つかの実施形態で、処理部７１０は、少なくとも１つの１次追跡エリアの前記少なくとも１つの追跡エリア特定情報および追跡エリア更新数の削減および追跡エリア特定情報数またはページングに関係するセル数の削減にそれぞれ若しくは逆に基づく少なくとも１つの第２の追跡エリアの前記少なくとも１つの追跡エリア特定情報を選択するようにする。さらにその上、少なくとも１つの１次追跡エリアの前記少なくとも１つの追跡エリア特定情報および少なくとも１つの第２の追跡エリアの前記少なくとも１つの追跡エリア特定情報は共に追跡エリア更新数の削減および追跡エリア数またはページングに関係するセル数の削減並びにこれら２つの目的間のトレードオフに基づき選択することができる。
【００７９】
その上コアネットワークノードにおける装置７００の幾つかの実施形態で、処理部７１０は少なくとも１つの１次追跡エリアの前記少なくとも１つの追跡エリア特定情報および少なくとも１つの２次追跡エリアの前記少なくとも１つの追跡エリア特定情報を、さらに本明細書で説明するようにページング応答の種々の確率レベルまたは種々の滞在時間若しくは同類のような種々の閾値との使用情報の比較により選択するようにする。
【００８０】
コアネットワークノードにおける装置７００の幾つかの実施形態で、取得部７２０により取得する情報は加入者情報に含み、加入者情報は加入合意によりユーザ装置に関連する追跡エリア特定情報に関する情報を含む。例えばユーザ装置が企業加入の下で動作すれば、その場合ユーザ装置は平日の間オフイス内にあることが多いと仮定することができる。従って１日の一定間隔の間、オフイスの位置に相当するセルにおいてページングすれば、ユーザ装置が応答するであろう確率は高い。その場合オフイスの位置に相当するセルに関連する追跡エリア特定情報が１次追跡エリアを特定するようにするのは有利である。
【００８１】
図８はユーザ装置をページングするＭＭＥのような第２のネットワークノード１３０における本方法の実施形態の概要フローチャートを示す。第２のネットワークノードはユーザ装置に関連する追跡エリア特定情報リストを管理し、リストはユーザ装置に関連する１次追跡エリアに関連する少なくとも１つの追跡エリア特定情報を含む。即ちリストは少なくとも１つの１次追跡エリアを特定する少なくとも１つの追跡エリア特定情報を含み、前記追跡エリア特定情報により特定する追跡エリアのそれぞれおよび前記少なくとも１つの１次追跡エリアは第３の無線ネットワークノードによりサービスを提供する少なくとも１つのセルに関連する。追跡エリア特定情報のそれぞれおよび少なくとも１つの１次追跡エリアを特定する少なくとも１つの１次追跡エリア特定情報は第３の無線ネットワークノードによりサービスを提供する少なくとも１つのセルに関連する。第３の無線ネットワークノードは第２の無線ネットワークノードにより管理する。無線通信ネットワーク１００は第２の無線ネットワークノード１３０、第３の無線ネットワークノード１２１およびユーザ装置１４０を含む。次のステップを実行する。
【００８２】
３１０  ステップ３１０で、第２の無線ネットワークノード１３０は前記少なくとも１つの１次追跡エリアに関連する少なくとも１つのセルのユーザ装置１４０をページングする。
【００８３】
３２０  前記少なくとも１つの１次追跡エリアに関連する前記少なくとも１つのセルのユーザ装置をページングするステップにより駆動し、ユーザ装置から応答を受信しなければ、その場合ステップ３２０で第２の無線ネットワークノード１３０は追跡エリア特定情報セットに関連するセルのユーザ装置をページングする。追跡エリア特定情報セットは追跡エリア特定情報リストにおける追跡エリア特定情報の中で選択し、追跡エリア特定情報セットの各追跡エリア特定情報は好ましくは少なくとも１つの１次追跡エリアの少なくとも１つの追跡エリア特定情報とは異なる。
【００８４】
ステップ３１０および３２０は追跡エリアの測定値がベースとし、１次追跡エリアの選択がベースとしうるデータを収集するステップ２２０、２５５および２６５に続きうることを理解すべきである。
【００８５】
第２のネットワークノードにおける本方法の幾つかの実施形態で、追跡エリア特定情報リストは少なくとも１つの２次追跡エリアに関連する少なくとも１つの追跡エリア特定情報を含む。
【００８６】
第２のネットワークノードにおける本方法の幾つかの実施形態で、少なくとも１つの１次追跡エリアを第１の時間間隔の間に使用および／または少なくとも１つの２次追跡エリアを第２の時間間隔の間に使用し、第１のおよび第２の時間間隔は重複、非重複または一部重複するようにする。換言すれば、第１のおよび第２の時間間隔の間にそれぞれ使用するように設定する少なくとも１つの１次および少なくとも１つの２次追跡エリアが存在する。第１のおよび第２の時間間隔は重複、非重複または一部重複することができる。
【００８７】
第２のネットワークノードにおける本方法の幾つかの実施形態で、本方法は、前記少なくとも１つの１次追跡エリアに関連する少なくとも１つのセルのユーザ装置をページングするステップの結果としてユーザ装置１４０から応答を受信しなければ、前記少なくとも１つの２次追跡エリアに関連する少なくとも１つのセルのＵＥをページングするステップをさらに含む。換言すれば、少なくとも１つの１次追跡エリアにおいてページングに失敗すれば、少なくとも１つの２次追跡エリアのＵＥをページングする。
【００８８】
第２のネットワークノードにおける本方法の幾つかの実施形態で、本方法は少なくとも１つの１次追跡エリアに関連する少なくとも１つの追跡エリア特定情報の使用によるページングステップの結果としてＵＥから応答を受信しなければ、少なくとも１つの２次追跡エリアに関連する少なくとも１つの追跡エリア特定情報に関連する少なくとも１つのセルのＵＥをページングするステップをさらに含む。換言すれば、少なくとも１つの１次追跡エリアに関連する少なくとも１つの追跡エリア特定情報の使用によるページングに失敗した場合、少なくとも１つの２次追跡エリアを特定する少なくとも１つの追跡エリア特定情報の使用によりＵＥをページングする。
【００８９】
次に図９を参照して、ユーザ装置をページングするＭＭＥのような第２のネットワークノード１３０における装置９００の実施形態を示す。第２のネットワークノードはユーザ装置に関連する追跡エリア特定情報リストを管理し、リストは少なくとも１つの１次追跡エリアを特定する少なくとも１つの追跡エリア特定情報を含む。前記追跡エリア特定情報および少なくとも１つの１次追跡エリアを特定する前記少なくとも１つの追跡エリアにより特定する追跡エリアのそれぞれは第３のネットワークノードによりサービスを提供する少なくとも１つのセルに関連する。第３のネットワークノードは第２のネットワークノードにより管理する。無線通信ネットワーク１００は第２のネットワークノード１３０、第３のネットワークノード１２１およびユーザ装置１４０を含む。装置９００は前記少なくとも１つの１次追跡エリアに関連する少なくとも１つのセルのユーザ装置１４０をページングするようにするページング部９１０を含む。その上、前記少なくとも１つの１次追跡エリアに関連する前記少なくとも１つのセルのユーザ装置のページングにより駆動し、ユーザ装置から応答を受信しなければ、ページング部９１０は追跡エリア特定情報セットに関連するセルのユーザ装置をページングするようにさらにする。追跡エリア特定情報セットは追跡エリア特定情報リストにおける追跡エリア特定情報の中で選択し、追跡エリア特定情報セットの各追跡エリア特定情報は好ましくは少なくとも１つの１次追跡エリアに関連する少なくとも１つの追跡エリア特定情報とは異なる。
【００９０】
第２のネットワークノード１３０における装置９００の実施形態で、追跡エリア特定情報リストは少なくとも１つの２次追跡エリアを特定する少なくとも１つの追跡エリア特定情報を含む。
【００９１】
第２のネットワークノード１３０における装置９００の実施形態で、少なくとも１つの１次追跡エリアを第１の時間間隔の間使用および／または少なくとも１つの２次追跡エリアを第２の時間間隔の間使用し、第１および第２の時間間隔は重複、非重複または一部重複するようにする。換言すれば、第１のおよび第２の時間間隔の間にそれぞれ使用するように設定する少なくとも１つの１次および少なくとも１つの２次追跡エリアが存在する。第１および第２の時間間隔は重複、非重複または一部重複することができる。
【００９２】
第２のネットワークノード１３０における装置９００の実施形態で、少なくとも１つの１次追跡エリアのユーザ装置をページングするステップの結果としてＵＥから応答を受信しなければ、ページング部９１０は少なくとも１つの２次追跡エリアに関連する少なくとも１つのセルのＵＥをページングするようにさらにする。換言すれば、少なくとも１つの１次追跡エリアのＵＥのページングに失敗した場合、少なくとも１つの２次追跡エリアのＵＥをページングする。
【００９３】
従来技術の大部分の方法は個々の加入者（即ち移動端末）の長期平均移動パターンおよび滞在習慣（即ち、加入者／ＵＥが各ＴＡに位置する時間）による行動を考慮しない。代わりに、全ての加入者を平等に扱い、それにより個別最適の可能性の招来に失敗する。
【００９４】
本発明は広く適用可能であるが、上記のように個別最適を必要とする１つの明らかなことはフェムトセル／基地局としても既知の「ホーム基地局」の概念であり、ＬＴＥ／ＳＡＥではそのような基地局はＨｅＮＢ（Home E-UTRAN Node B）として既知である。これらフェムトセル／基地局は家庭、企業、キャンパスまたは同類における適用範囲の提供に使用することができる。
【００９５】
１次追跡エリア（ＴＡ）の概念は追跡エリア更新（ＴＡＵ）およびページングに起因する総体的信号負荷（および干渉）を削減するために導入する。
【００９６】
１次ＴＡ（単数または複数）は構成または追跡エリア滞在時間（即ち、特定ＴＡ（単数または複数）に加入者が位置する時間）またはページングの観察の何れかにより規定する。
【００９７】
ＵＥの発するサービス要求および要求を実行する位置は入力データ並びにハンドオーバとしても使用することができる。
【００９８】
１次追跡エリアの特定／決定／選択はネットワークにおいてのみ実行するかまたはＵＥが支援することができる。
【００９９】
幾つかの実施形態で、ユーザが高い確率でそのエリアにいると仮定し、規定すれば１次ＴＡ（単数または複数）において、ＵＥを常にまずページングする。
【０１００】
有益である場合、１次ＴＡ（単数または複数）をＵＥに移し（即ち、ＴＡリストに含み）、ＴＡＵ量を低減する。
【０１０１】
別の実施形態で、２つの異なるタイプの１次ＴＡを導入する。その１つはＴＡＵ負荷の削減に使用し（ＴＡＵ数の削減により）、他方をページング負荷の削減に使用する（多くのページングのページングエリアの削減により）。
【０１０２】
本発明の２つの主な実施形態、実施形態１および実施形態２があり、その双方を２つの「サブ実施形態」に細分する（サブ実施形態１ａ、１ｂおよび２ａ、２ｂ）。
【０１０３】
本発明の幾つかの利点は：
‐ＴＡＵおよびページングの総体的信号負荷の削減。
‐時間に関する１次ＴＡ（単数または複数）の本来的精細化（および従って改善）。
‐追跡エリア更新およびページングの不変の信号方式。
【０１０４】
単一１次ＴＡタイプを使用する実施形態１を以下に説明する。
実施形態１は２つのサブ実施形態１ａおよび１ｂを含む。
【０１０５】
一般に実施形態１に対し、以下を適用する。１次ＴＡはネットワークにより構成するか、または動的に規定することができる。構成上の代替案は例えば企業加入に使用することができ、その場合加入者は平日の間はオフイス内にいることが多いと仮定する。別の使用は、即ち閉加入者グループ（ＣＳＧ）を使用するシナリオにおけるフェムト（ホームｅノードＢ）加入に対してでありえよう。ＨｅＮＢのＴＡは地理的意味なく自動的にＨｅＮＢに割り当てそうであろうし、ＨｅＮＢは特定のＵＥ（単数または複数）に関連しそうであろう故、これらのＴＡは１次ＴＡになるのに非常に適している。例えば同時にＵＥはＨｅＮＢに関連し、ＨＳＳにおけるＵＥのコンテキストは１次ＴＡにより更新できよう。週の内の日並びに１日の内の時間に基づくスキームがありえよう。１次ＴＡは１つ以上のＴＡでありえよう。
【０１０６】
１次ＴＡ（単数または複数）を特定／決定／選択する幾つかの方法を提案する。ページングにＵＥが応答する例えばセルのＴＡＩによりＵＥをページングする場合の現ＴＡの登録は１つの方法であり、異なるサービス要求における現ＴＡの登録は別の方法である。さらにＵＥの位置追跡に使用できる方法は、ＭＭＥにＵＥのサービス提供セルに関する情報をｅノードＢから取得する手段を提供するＳ１ＡＰ（ＭＭＥとｅノードＢ間のＳ１アプリケーションプロトコル、Ｅ−ＵＴＲＡＮとＭＭＥまたはＳ−ＧＷのようなＥＰＳのコアネットワーク間のＳ１−インタフェース）位置報告手順であるか、またはＳ１ＡＰ位置報告手順への変更である。閾値に到達すると、１つ（以上）のＴＡ（単数または複数）は１次と考えられる。閾値は加入者があるＴＡにおいてページングに応答するであろう一定の長期確率として測定することができよう。ページング応答確率が複数のＴＡにおいて閾値を超えれば、その場合最大確率を有するＴＡを１次ＴＡとして選択するか、または閾値条件を満たす全てのＴＡを１次ＴＡ（即ち、複数１次ＴＡ）と規定するかの何れかである。ＴＡグループのページング応答確率を分析し、適するＴＡグループを（複数）１次ＴＡとして選択するアルゴリズムを考案することもできる。非１次ＴＡ（単数または複数）において過多なページングが成功する場合、例えば１次ＴＡのページング応答確率が閾値を下回れば（恐らくヒステリシスを伴い）、アルゴリズムはまた１次ＴＡを除去する（選択しない）必要もある。
【０１０７】
別の方法は、ＴＡで費やす（絶対および／または）相対時間を追跡することである。この場合、閾値条件は全記録滞在時間に関するあるＴＡ（またはＴＡグループ）で費やす時間として測定できよう。ネットワーク（ＭＭＥ）はＵＥが接続している（例えば、ＥＭＭ−接続状態にある、即ちアイドルモードにない）間に滞在するＴＡを追跡することができる。ＵＥが支援するスキームの場合（サブ実施形態１ｂ参照）、ＵＥの状態にかかわらず（即ち、接続、アイドル、など）ＵＥはＴＡ滞在時間を連続的に追跡することができる。例えば１次ＴＡ（単数または複数）に関するＵＥの現位置に応じて有益である場合、ＴＡリストを更新する場合またはＵＥがネットワークに所属する場合、１次ＴＡ（単数または複数）はＵＥに送信するＴＡリストに含む。ＭＭＥは常に１次ＴＡ（単数または複数）をＴＡリストに含まないであろう。これは、ＵＥが現在適度に１次ＴＡに近く（または１次ＴＡ内に）位置する場合にのみ例えば１次ＴＡをＴＡリストに含むようにＴＡリストを割り当てる場合または他のよい理由がある場合、例えば１次ＴＡはむしろ遠いが、隣接ＴＡリストをＵＥの現位置から（ＵＥの現位置を含む）１次ＴＡに割り当てるのが適当であれば（例えばその経路に続く幹線があるので）、ＵＥの位置（例えば、ＴＡまたはセル）に依存するであろう。さらにその上ＴＡリストに１次ＴＡを含む明らかな条件は、１次ＴＡがＴＡリストを割り当てるＭＭＥのＭＭＥプールに属すことである（これはまた複数１次ＴＡを選択すれば、その場合サービス提供ＭＭＥのＭＭＥプールに属すこれらの複数１次ＴＡのみがＴＡリストへの包含資格があることを意味する）。
加入者をページングする場合幾つかの実施形態で、サービス提供ＭＭＥは日時などのような他の可能な条件を未定にして（加入者に関連する少なくとも１つの１次ＴＡがあれば）１次ＴＡ（単数または複数）の加入者をまずページングし、ついで適当な時間内に応答がなければ、ＴＡリストの残りのＴＡを（オプションとしてこの第２のページングに１次ＴＡ（単数または複数）を含み）ページングする。
【０１０８】
以下で、サブ実施形態１ａを説明する。サブ実施形態１ａはネットワークベース１次ＴＡの特定／決定／選択手順を使用する、即ちネットワークはユーザ装置のための追跡エリア使用に関する情報を収集し、次いでネットワークは１次ＴＡとして使用するであろう１つ以上のＴＡ（もしあれば）を決定する。ページングに成功する（またはＵＥの発するサービス要求の）ＴＡまたはＴＡにおける時間の追跡はネットワークにおいて、例えばＭＭＥおよびＨＳＳにより行う。加入者がＭＭＥにおいて登録する場合、ＭＭＥは加入者の前記統計（即ち、ページング応答またはＴＡ滞在時間の何れか）を収集する。統計は例えば位置キャンセル承認（CANCEL LOCATION ACK）メッセージの延長としてＨＳＳに伝送する。加入者がＭＭＥにおいて登録を解除する場合、ＭＭＥは加入者に関連する全ての収集統計を削除するであろう。ＨＳＳは種々のＨＳＳから受信する統計を纏め、各加入者に関する全統計を維持することができるようにする。ＨＳＳはアルゴリズムを使用し、アルゴリズムは纏めた統計に基づき、少なくとも１つのＴＡが選択条件を満たせば、１次ＴＡ（単数または複数）として１つ以上のＴＡ（単数または複数）を選択する。加入者に関連する１次ＴＡ（単数または複数）がある場合、ＨＳＳは加入者データ挿入要求（INSERT SUBSCRIBER DATA REQUEST）メッセージに含む例えば加入者データの一部として１次ＴＡ（単数または複数）のＴＡＩ（単数または複数）を加入者へのサービス提供ＭＭＥに伝送するであろう。ＨＳＳが種々のＭＭＥプールへのＴＡの割り当てを知っており、１次ＴＡ（単数または複数）がサービス提供ＭＭＥのＭＭＥプールに属す場合にのみ、ＨＳＳは１次ＴＡ（単数または複数）のＴＡＩ（単数または複数）のサービス提供ＭＭＥへの伝送を選択するであろう。これは加入者に関連する複数１次ＴＡのサブセットであることが分かるであろう。ＭＭＥがＨＳＳから１次ＴＡのＴＡＩを受信し、そのＴＡがＭＭＥのＭＭＥプールに属さなければ、ＭＭＥは１次ＴＡを使用しないであろう。
【０１０９】
実施形態１による本方法の幾つかの実施形態で、Ｏ＆ＭノードはＭＭＥからの統計寄与を収集し、纏めるタスクを取り扱う。そのような場合、（位置キャンセル承認メッセージでなく）Ｏ＆Ｍインタフェースを利用し、統計は通常のＯ＆Ｍ原理に従い例えばＭＭＥのカウンタ値のポーリング／取得により収集することができる。Ｏ＆Ｍエンティティはまた纏めた統計に１次ＴＡ選択アルゴリズム適用の役割を担い、任意の選択１次ＴＡ（単数または複数）のＴＡＩ（単数または複数）をＭＭＥに伝達する。あるいはＯ＆Ｍエンティティは選択ＴＡ（単数または複数）のＴＡＩ（単数または複数）をＨＳＳに伝達し、ＨＳＳに蓄積する加入者データに含み、加入者にサービスを提供するＭＭＥに転送する。
【０１１０】
さらに以下でサブ実施形態１ｂを説明する。サブ実施形態１ｂで、ユーザ装置はユーザ装置自体の追跡エリアに関する情報収集手順に寄与する。この実施形態は以降ＵＥ支援１次追跡エリア特定を伴うサブ実施形態１ｂと呼ぶ。
【０１１１】
ページングに成功する追跡エリア（または追跡エリアのアイデンティティ）またはＴＡにおける時間の追跡（使用に関する情報収集）はＵＥにおいて行い、要求によりまたは既に規定の信号（例えばＮＡＳメッセージのＴＡＵ要求（TAU REQUEST）または所属要求(ATTACH REQUEST)）の延長としてネットワークに報告する。ＵＥは常にそれ自体の所在および動作を知るので、ＵＥはページングの成功応答またはＴＡ滞在時間の何れかに関する総体的統計を維持することができる。統計はＵＥの汎用加入者特定モジュール（ＵＳＩＭ、Universal Subscriber Identity Module）に蓄積するであろうし、汎用加入者特定モジュールでは時間を通して累積することができる。
【０１１２】
ＵＥが新しいＭＭＥにおいて、例えばネットワークへの所属またはＴＡＵで登録する場合、ＵＥは１次ＴＡ関係情報をＭＭＥに例えば所属要求メッセージおよびＴＡＵ要求メッセージの延長として伝送する。あるいは（追加して）、情報は要求に応じてＭＭＥから伝送することができる。伝送情報の性質は１次ＴＡ選択アルゴリズムを置く場所に依存し、置く場所に関してこのサブ実施形態では２つのオプションがあり、ＵＥまたはＭＭＥである。
【０１１３】
１次ＴＡ選択アルゴリズムをＵＥに置けば、その場合任意の選択ＴＡ（単数または複数）のＴＡＩ（単数または複数）のＭＭＥへの伝送で十分であり、従ってＭＭＥはＵＥに割り当てるＴＡリストにＴＡＩ（単数または複数）を含めることができる。１次ＴＡ選択アルゴリズムをＭＭＥに位置させれば、その場合ＵＥはアルゴリズムの入力データ要求条件を満足するに十分な統計データを伝送しなければならない。「最良の」統計を有するＴＡ（単数または複数）にデータ（例えばページング応答確率または相対滞在時間）を例えば伝送すれば十分であろう。ＵＥで１次ＴＡ選択アルゴリズムを動作させる利点はネットワークに伝送するデータが少なくてよいことである。ＭＭＥで１次ＴＡ選択アルゴリズムを動作させる利点はネットワーク（従ってネットワーク運用会社）が制御に当たり、好むアルゴリズムおよび閾値条件（単数または複数）を選択できることである。何れの場合においてもＵＥが通信する（サービス提供ＭＭＥによりＵＥに割り当てるグローバルに固有の一時的アイデンティティ（ＧＵＴＩ、Globally Unique Temporary Identity）のＭＭＥＧＩ（MME Group Identity、ＭＭＥグループアイデンティティ）により指示する）ＭＭＥプールを知っていれば、その場合ＵＥは現ＭＭＥプールに属すＴＡに関する１次ＴＡ関係情報（１次ＴＡ（単数または複数）の統計またはＴＡＩ（単数または複数））のみを伝送するであろう。
加入者がＭＭＥから登録を解除する場合、加入者に関連するあらゆる１次ＴＡ関係データを好ましくはＭＭＥにおいて削除することができる。このＵＥ支援手法により、１次ＴＡ関係データを永久にネットワークに蓄積する必要はなく、ＵＳＩＭにおいてのみ蓄積すればよい。
【０１１４】
次に、ユーザ装置の追跡エリアの使用に関する情報収集方法のさらなる実施形態を開示する。
【０１１５】
方法の実施形態で、１つ以上の追跡エリアまたは追跡エリアアイデンティティを含む１次追跡エリアの選択は１日の内の時間または週の内の日のような時間に基づく。
【０１１６】
例えば、統計（ユーザ装置の追跡エリア使用に関する情報）は１日の内の時間および週の内の日に関するデータを含むことができ、従って１次ＴＡ選択アルゴリズムは１日の内の時間または週の内の日に（および１年の内の月にさえ）応じて種々の１次ＴＡ（単数または複数）を選択することができる。１次ＴＡへのある時間または日の適用を選択することもできる、一方他の時間の間にはあらゆる１次ＴＡに全然適用しない。結果として、入手する統計はより精細であり、１次ＴＡ（単数または複数）の使用は従ってより精細に調整することができる。
【０１１７】
そのような時間依存アルゴリズムをネットワークのみの取り替え（実施形態１ａ）で使用し、従ってＨＳＳまたはＯ＆Ｍエンティティに位置させれば、その場合１次ＴＡ（単数または複数）が変化する（または選択されない）場合、時間追跡を続けるエンティティに種々のオプションが存在する。ＨＳＳまたはＯ＆Ｍエンティティはこの役割を担い得る。ＨＳＳの場合例えば変更加入者データによりサービス提供ＭＭＥを更新する通常の手段を使用して、１次ＴＡ（単数または複数）がとにかく変化する都度、ＨＳＳはサービス提供ＭＭＥを更新するであろう。Ｏ＆Ｍエンティティの場合、Ｏ＆ＭエンティティはＯ＆Ｍインタフェースを介してＭＭＥ更新の役割を担うであろう。
【０１１８】
代替オプションは、１次ＴＡ（単数または複数）が変化する場合時間追跡の継続をＭＭＥに担わせることである。この場合、ＨＳＳまたはＯ＆ＭエンティティはＭＭＥに１次ＴＡ（単数または複数）のＴＡＩ（単数または複数）のみならず、ＴＡＩ（単数または複数）を適用する場合の条件も伝送する。例えば選択アルゴリズムがオフイス時間に１つの１次ＴＡを、非オフイス時間に別の１次ＴＡを選択すれば、その場合これら両１次ＴＡのＴＡＩを、両１次ＴＡのＴＡＩが有効な場合それぞれの時間間隔を結合しＭＭＥに伝送する。その場合、受信条件に従い１次ＴＡを切り替えるのはＭＭＥである。何れにしろＭＭＥはＴＡＩが有効になれば直ぐ見境なく新しいＴＡ（単数または複数）のＴＡＩ（単数または複数）をＵＥに伝送しないであろう。ＭＭＥは新しいＴＡリストをＵＥに伝送する次の機会、例えば次のＴＡＵの間まで待機し、追加無線インタフェース信号を招来しないであろう。
【０１１９】
種々のエンティティ間の責任分担に関する上記の代替案および結果とする１次ＴＡ関係情報伝送はＵＥ支援手法（実施形態１ｂ）にも適用する。この場合、加入者／ＵＥの全て（ネットワーク全域）の統計を収集および維持並びに加入者／ＵＥの１次追跡エリア（単数または複数）の選択双方によるか、または加入者／ＵＥの全て（ネットワーク全域）の統計の収集および維持のみによるかの何れかにより、ＵＥは上記の手順（即ち、サブ実施形態に１ａおよびその拡張）におけるＨＳＳまたはＯ＆Ｍの役割を有する。サブ実施形態１ａ（およびその拡張）におけるＨＳＳまたはＯ＆Ｍエンティティの役割の相違はしかしながら無線インタフェースへのあらゆる追加信号を招来しないため、通常の信号が機会を提供しない限り、ＵＥは１次ＴＡ変更関係情報を何らＭＭＥに伝送しない。
【０１２０】
本方法の幾つかの実施形態（例えば、サブ実施形態１ａまたは１ｂの変形または拡張）で、１次ＴＡをＭＭＥプール当たりに選択することができる。例えばそのＭＭＥプールのある加入者の１次ＴＡ（単数または複数）として各ＭＭＥプールにおける「最良」のＴＡ（またはＴＡグループ）を選択するように、単一１次ＴＡ（または単一ＴＡグループ）のみを選択するように考案する１次ＴＡ選択アルゴリズムは各ＭＭＥプールに対し個別に実行することができる。しかしながら（例えば相対ＴＡ滞在時間の測定の場合、個々のＴＡの滞在時間を同じＭＭＥプールに属すＴＡの総滞在時間とのみ比較するように、計算は各ＭＭＥプールに制限されるが）、各選択１次ＴＡ（または１次ＴＡグループ）はさらに選択条件を満たさなければならない。
【０１２１】
本方法の幾つかの実施形態（例えば、サブ実施形態１ａまたは１ｂの変形または拡張）で、構成上単一セルのみを含む通常のＴＡが存在しなくても、単一セルは１次ＴＡの形成が可能である。１次ＴＡ選択アルゴリズムによりセル当たりの統計もまた収集および考察することができることを追加することにより、１次ＴＡ選択アルゴリズムおよび統計収集を前記のように実行することができる。単一セルにおけるページングを可能にするために、ページングのＳ１ＡＰ手順は修正しなければならないであろうし、従ってＭＭＥは単一セルにＴＡおよび唯一でないＴＡにおけるＵＥのページングを指示することができる。
【０１２２】
さらにその上、ＭＭＥが入力統計を収集する場合にこの方法（即ちサブ実施形態１ａ）を使用すれば、追跡エリア更新のようなＥＭＭ（EPS Mobility Management）手順になる場合、ＵＥは正規ＴＡとして単一セルを取り扱わなくてはならないであろう。そしてＵＥがＴＡＵ要求メッセージにセルアイデンティティを含まなければ、その場合ｅノードＢはＴＡＵ要求をＭＭＥに伝達するＳ１ＡＰにセルアイデンティティを含めなければならない。
【０１２３】
１次追跡エリア（単数または複数）として使用する追跡エリア（単数または複数）選択方法の幾つかの実施形態で、ＴＡの階層、例えば１次ＴＡ（単数または複数）、２次ＴＡ（単数または複数）、３次ＴＡ（単数または複数）などを使用する。種々の選択条件を種々の階層レベルに使用するであろう。サービス提供ＭＭＥはその場合（適すると思われる場合）そのページング戦術において、例えばまず１次ＴＡ（単数または複数）、次いで（必要であれば）２次ＴＡ（単数または複数）など、そして最後に（必要であれば）ＴＡリストの残りのＴＡのＵＥのページングによりこの階層を利用することができよう。
【０１２４】
ユーザ装置の追跡エリア使用に関する情報収集方法の幾つかの実施形態で、ユーザ装置で維持する追跡エリアリスト（追跡エリアアイデンティティ）は構成上（サービス提供ＭＭＥにより割り当てるような）単一ＴＡのみを含む。このように、ユーザ装置の動きはより密接に追う（または追跡する）ことができる。このように、ユーザ装置の追跡エリア使用に関するより詳細な情報を入手することができる。
【０１２５】
異なる表現では、１次ＴＡ選択アルゴリズムへの入力データを構成する統計を改善するために、ＭＭＥは一時的に常時加入者のＴＡリストの単一ＴＡのみの割り当てを選択することができる。結果として、ＴＡ内外の動きはいずれもＴＡＵとしてＭＭＥには見ることができるであろうし、ＭＭＥは次いで適する１次ＴＡ候補の習得を改善または高速化する。
【０１２６】
この方法は、例えば新規加入者に対し一時的に使用し、加入者の１つ以上の１次ＴＡ（単数または複数）を速やかに確立することができよう。別のオプションは、加入者が新しい振舞いを示す場合本方法を一時的に使用することであり、例えば１次ＴＡが余りにも頻繁にその目的の充足に失敗するか、または入力統計が１次ＴＡとしてのその品質の劣化を示せば、加入者の新しい振舞いを発見することができる。さらなるオプションは一時的にこの方法を定期的に使用し、時々改善された入力データを取得し、１次ＴＡがなお１次ＴＡであるか、または新しいＴＡを代わりに選択すべきかの何れかを確認することでありえよう。
【０１２７】
オプションとして、本方法はＭＭＥがより正確な入力データに関心を持つあるエリア（ＰＬＭＮ（Public Land Mobile Network、公衆地上移動ネットワーク）の一部またはＭＭＥプールの適用範囲エリア）においてのみ使用することができよう。
本方法はＨＳＳまたはＯ＆Ｍノードから若しくはＭＭＥ自体により駆動できよう。
ＭＭＥが入力統計を収集する場合にのみ、本方法は有用であることに注意されたい。ＵＥが入力統計を収集する場合、ＵＥは常に動きの完全な全体像を持ち、従って単一ＴＡのみを持つＴＡリストの割り当てによっては、入力データの品質（または入力データを収集しうる速度）は改善されないであろう。
【０１２８】
２つのタイプの１次追跡エリアまたは１次追跡エリア特定情報を使用する実施形態２を参照し、実施形態２のより詳細な説明を以下に提示する。
【０１２９】
実施形態１はある加入者が単一１次ＴＡを選択する方法を提案する。オプションとして、幾つかの１次ＴＡを選択することができることも示唆するが、１次ＴＡは全て同じ選択アルゴリズム（多かれ少なかれ、ある制限がある）を使用して選択するであろう。これは複雑さのむしろ少ない魅力的解決策である。しかしながら、確かな利点は２つの異なるタイプの１次ＴＡの導入により達成することができ、２つの異なるタイプを異なる目的に使用し（異なる状況において）、２つの異なるタイプを異なる選択アルゴリズムを使用して選択するであろう。
【０１３０】
この背景にある合理性は、１次ＴＡの２つの異なる目的（および対応する使用法）を特定することができることである。１次ＴＡの概念に関する総体的目的はページングおよびＴＡＵに起因する総体的信号負荷（および従って干渉）を削減することであるが、これを達成する２つの異なる方法がある。１つの方法はＴＡＵ数を削減することであり、他方は各ページングに関係するＴＡ数を制限することである。
【０１３１】
ＴＡＵ数を削減するように１次ＴＡを使用するために、関係する加入者が頻繁に入域するＴＡを特定し、例えばＵＥはＴＡに近いので、ＵＥがやがてＴＡに入域するであろうと信じる理由がある場合、先見的にこのＴＡをＵＥ（即ち、関係する加入者が使用しているＵＥ）のＴＡリストに加えるべきである。別の類似する手法はＵＥが頻繁に横断するＴＡの境界を特定し、この情報を使用して、ＵＥがこの境界を横断する場合のＴＡＵを回避することである。境界越えにおけるＴＡＵを回避する方法は関係する両ＴＡ（即ち、互いに頻繁に横断する境界を持つＴＡ）をＵＥのＴＡリストに先見的に加えるか、またはＵＥが２つのＴＡの他方に位置することを確認する場合２つのＴＡの一方を先見的に加えることでありえよう。
【０１３２】
ページングに関係するＴＡ数を削減するように１次ＴＡを使用するためには、他の選択基準が望ましい。これはページングを行う場合関係する加入者が頻繁に位置するＴＡの特定により達成することができる。このＴＡをＵＥのＴＡリストに含む（そしてＵＥがＴＡリストの任意の他のＴＡにいることが知られていない）場合は何時でも、ＭＭＥは前記最適ページングスキームを使用する、即ちＭＭＥは特定ＴＡ（即ち、ページングする場合ＵＥが頻繁に位置するＴＡ）のＵＥをまずページングし、その後一定の時間内にＵＥから応答を受信しない場合ＭＭＥはＴＡリストの残りのＴＡのＵＥをページングする。この最適化ページングスキームを実装しなければ、代替手法は特定ＴＡにおける加入者の存在を確認するまで待機し、次いでＵＥ（即ち、加入者が使用しているＵＥ）のＴＡリストを縮小し、従ってＴＡリストは特定ＴＡ（または恐らく特定ＴＡおよび１つ以上の隣接ＴＡ）のみを含む。
【０１３３】
明らかに、２つの上記方法の１次ＴＡ選択基準（即ち、それぞれＴＡＵを回避し、ページング負荷を制限）は同じではない。同じＴＡ（単数または複数）は（適度によく）（実施形態１の仮定である）両基準を満たすことができることが多いが、両方法に適するＴＡがないこともまたよくあることでもありうる。これらの状況においては、実施形態１は必然的に次善の妥協になる（または１次ＴＡが全然選択基準を満たすことはない）であろう。結論は、２つのタイプの１次ＴＡを導入することは有益でありえ、２つのタイプの１次ＴＡを選択し、互いに独立に利用することになろう。
【０１３４】
従って、この実施形態は２つのタイプの１次ＴＡを導入する。以上の考察に沿い、１次ＴＡタイプの１方をＴＡＵの削減に使用し、一方他方をページング負荷の削減に使用する。異なる選択アルゴリズムおよび異なる使用戦術を使用し、２つのタイプの１次ＴＡを選択し、互いに独立に使用する。２つのタイプの１次ＴＡは独立に使用するので、両者は状況に応じて一度に一方か、同時に使用するか、または全然使用しないことがありうる。さらにその上その互いに独立な選択は時に何れのタイプの１次ＴＡも選択しない、タイプの１つの１次ＴＡのみを選択する、１つのＴＡを１次ＴＡタイプの１つとして選択し、別のＴＡを他の１次ＴＡタイプとして選択するか、または同じＴＡを両タイプの１次ＴＡとして（共に独立の選択アルゴリズムにより）選択することにもなりうる。
【０１３５】
本実施形態は実施形態１と同様に詳細に説明することができる。従って１次ＴＡタイプのそれぞれについて、メカニズムは単一か、または複数１次ＴＡを選択するようにする。（同じタイプの）複数１次ＴＡを選択すれば、現状況において適当であれば、複数１次ＴＡは同時か（一度に全てまたは幾つか）、もしくは一度に１つ使用することができる。ＭＭＥプール当たりの各選択アルゴリズムの独立例の動作（即ち１つのＭＭＥプールに属すＴＡの中で選択する（各タイプの）１つの選択アルゴリズム例）は魅力的なオプションである。
【０１３６】
実施形態２は２つのサブ実施形態２ａおよび２ｂをさらに含む。サブ実施形態２ａで、前記インテリジェントページング戦術（即ち、１次ＴＡ（または１次ＴＡのグループ）でまずページングし、次いで必要であればページングエリアを増加）を実装し、使用すると仮定する。サブ実施形態２ｂでは、そのようなインテリジェントページング論理は実装しないと仮定する。
【０１３７】
２つの１次ＴＡタイプを使用するサブ実施形態２ａでは、ページング手順を改善することができる。ＴＡＵ数の削減に使用する１次ＴＡタイプはタイプ１１次ＴＡと表し、ページング負荷の削減に使用する１次ＴＡタイプはタイプ３１次ＴＡと表す。
【０１３８】
上記の如く、タイプ１１次ＴＡの選択基準には（少なくとも）２つの手法がある。１つの手法（「タイプ１選択基準Ａ」）は、選択アルゴリズムは関係する加入者が頻繁に入域する１つ以上のＴＡ（単数または複数）を特定する。他の手法（「タイプ１選択基準Ｂ」）は、選択アルゴリズムは１つ以上のＴＡのペア（単数または複数）を特定し、その相互境界は関係する加入者が頻繁に横断する。後者の選択基準により、タイプ１１次ＴＡは常にペアで選択することになろう。以後タイプ１選択基準Ａにより選択するタイプ１１次ＴＡはタイプ１Ａ１次ＴＡと表し、一方タイプ１選択基準Ｂにより選択するタイプ１１次ＴＡ（のペア）はタイプ１Ｂ１次ＴＡ（のペア）と呼ぶ。
【０１３９】
また上記の如く選択するタイプ１１次ＴＡの使用法に、種々の選択基準を結合する。加入者がタイプ１Ａ１次ＴＡに間もなく入域しそうである場合、関連する加入者のＴＡリストへの先見的包含にタイプ１１次ＴＡを使用する。これは加入者がタイプ１Ａ１次ＴＡに適度に近い場合でありうる。そのような先見的包含が有益であるためには、（関係する加入者が使用している）ＵＥがＴＡＵを実行することなくその現在位置からタイプ１Ａ１次ＴＡへ移動できるようにＴＡリストを編集しなければならない（即ち、ＴＡリストのＴＡは現ＵＥの位置から１次ＴＡへの連続的経路を形成すべきである）。
【０１４０】
タイプ１Ｂ１次ＴＡのペアはタイプ１Ａ１次ＴＡと同じ方法でＴＡリストへの先見的包含に使用できるが唯一の相違は、タイプ１Ｂ１次ＴＡはペアとして扱うことである（即ち、ペアの両ＴＡは先見的にＴＡリストに含む）。加えて、タイプ１Ｂ１次ＴＡペアのＴＡの一方をＴＡリストに含めば（例えば、通常の（非１次ＴＡ）ＴＡリスト割り当てアルゴリズムの結果として、またはＵＥがＴＡで動作状態になったので）、その場合タイプ１Ｂ１次ＴＡペアの他方のＴＡもまた先見的にＴＡリストに含むことができるように、タイプ１Ｂ１次ＴＡを使用することができる。タイプ１Ａまたは１Ｂ１次ＴＡの、またはタイプ１Ｂ１次ＴＡペアのＴＡリストへの先見的包含に対する追加基準はさらなる統計に基づくことができ、例えば１日の内の時間（および／または週の内の日）が適当であること、および／または加入者がタイプ１Ａ１次ＴＡに位置するか、またはタイプ１Ａ１次ＴＡに関して一定の方向に移動していることを含むことができる。そのような追加基準は近接基準と共に使用することができる。
【０１４１】
タイプ１（１Ａおよび１Ｂ双方）１次ＴＡの選択アルゴリズムに適切な入力データを供給するために、統計は加入者の動きを追跡するために収集すべきである。ＭＭＥが入力データを収集すれば、これは所属要求、ＴＡＵ、ＵＥが発生するサービス要求およびハンドオーバのような前記事象の間の加入者の位置の記録を含む（ハンドオーバ中の目的ｅノードＢからの経路切り替え要求へのＴＡＩの包含はハンドオーバを通じてＭＭＥのＵＥの動き追跡能力を改善するであろう。ＭＭＥにとりさらに正確な位置情報は全ての移動性関係Ｓ１ＡＰ信号方式にセルアイデンティティ（高度化セルグローバルアイデンティティ（Ｅ−ＣＧＩ、Enhanced Cell Global Identity））を含む３ＧＰＰにおける最近の合意の結果でありえよう。ＵＥのＴＡリストに含まないＴＡへのハンドオーバ直後直ちにＵＥが常に実行するＴＡＵは、また入力データを提供することにも注意されたい）。ＵＥが入力データを収集すれば、加入者の／ＵＥの動きは滞在時間および境界越えによりより正確に記録することができる（ＴＡレベルにおいてまたは所望の場合セルレベルにおいてさえ）。
【０１４２】
タイプ３１次ＴＡの選択アルゴリズムに適切な入力データを供給するために、ページング中の加入者の位置に関する統計を収集すべきである（即ち、加入者をＴＡにおいてページングする各ＴＡの確率の測定を目的とする）。失敗した（応答の無い）ページング（ＭＭＥまたはＵＥが統計を収集するかに関係なく）の場合加入者の位置は未知であるので、最良の利用可能な測定値は応答のあるページングの加入者の位置である。従って、ページング応答数およびその関連する位置はＭＭＥまたはＵＥの何れかにおいて収集するよい入力データを表す（ＴＡにおける加入者の累積相対滞在時間（即ち、全滞在時間に関するＴＡにおける累積滞在時間）は加入者をＴＡにおいてページングする適度によい間接的確率測定値であることが多いであろうが、時に滞在時間とページング確率間の相関は悪いことがあり、従ってページング応答に直接頼るのはより直接的測定値であり、これは大部分の場合より正確な入力データを提供するはずであることを意味する）。
【０１４３】
タイプ１およびタイプ３１次ＴＡを互いに独立に選択するのは同じＴＡをタイプ１およびタイプ３１次ＴＡ双方として正しく選択することができることを意味することに注意すべきである。
【０１４４】
次にサブ実施形態２ｂについては、２つの１次ＴＡタイプを使用し、ページング手順は改善されない。
【０１４５】
このサブ実施形態では、ＴＡＵ数削減に使用する１次ＴＡタイプを選択し、サブ実施形態２ａにおけるのと同じ方法で使用し、従って同じ１次ＴＡタイプ、タイプ１１次ＴＡ（またはより正確にはタイプ１Ａおよび１Ｂ１次ＴＡ）を「再使用する」ことができる。このサブ実施形態においてページング負荷削減に使用する１次ＴＡタイプはしかしながらサブ実施形態２ａのものとは異なり、それ故タイプ２１次ＴＡと表す。
【０１４６】
このサブ実施形態はページング負荷削減への１次ＴＡタイプの使用法におけるサブ実施形態２ａと相違する。インテリジェントページング戦術を使用しないので（即ち、ＵＥをそのＴＡリストの全てのＴＡで常にページングする）、ページング負荷はページングエリア全ての縮小により削減する。適切である場合、およびこの目的に選択する１次ＴＡを利用することができる場合、これは加入者のＴＡリストの縮小により達成する。従って加入者がそのタイプ２１次ＴＡ（単数または複数）（またはそのうちの１つの）に位置することを（例えば、所属、ＴＡＵ、ページング応答またはＵＥの発生するサービス要求により）確認すると、加入者のＴＡリストの多くのまたは全ての他のＴＡを除去することができる。タイプ２１次ＴＡを使用する別のより問題のある方法は、たとえ加入者がタイプ２１次ＴＡに位置しなく（または少なくとも位置することを確認しなく）とも、タイプ２１次ＴＡをＴＡリストに（例えば、通常のＴＡリスト割り当てアルゴリズムにより）含むと直ちにＴＡリストからＴＡの除去を開始することであろう。例えばＵＥがタイプ２１次ＴＡに隣接するＴＡにおいてＴＡＵを実行し、通常のＴＡリスト割り当てアルゴリズがタイプ２１次ＴＡを含む新しいＴＡリストを構築すれば、次いで特別のタイプ２１次ＴＡ割り当てアルゴリズムが始動し、ＵＥが現に位置するＴＡ、タイプ２１次ＴＡおよび恐らく幾つかの他のＴＡ（単数または複数）を除く全てのＴＡをＴＡリストから（即ち、通常のＴＡリスト割り当てアルゴリズムにより作成するＴＡリストから）除去することができる。ページング負荷削減のための１次ＴＡタイプをこのサブ実施形態では実施形態２ａの場合と異なるように使用する（即ち、タイプ２１次ＴＡはタイプ３１次ＴＡとは異なるように使用する）ことは、またその選択基準（および従ってその選択アルゴリズム）がサブ実施形態２ａとは異ならなければならないことを意味する。加入者がタイプ２１次ＴＡを去る前に加入者をページングすることが期待できる場合にのみ、加入者がタイプ２１次ＴＡに位置する場合にＴＡリストから他のＴＡを除去するのは有益な戦術であり、これは（統計的に）加入者が最終的にタイプ２１次ＴＡを去る場合に結果として（ほとんど）必然的に起こるであろうＴＡＵの負荷を上回るページング負荷の節約を生むに十分な回数生じる場合にのみ有益な戦術である。従ってタイプ２１次ＴＡのよい候補は、「中断することなく滞在する」間（即ち、加入者が継続してＴＡに留まる期間の間）にＵＥをページングすることが多いＴＡである。従ってページング応答および位置に関する統計（並びに滞在時間に関する統計）はタイプ２１次ＴＡの選択アルゴリズムへの入力データとして十分ではない。中断なき滞在期間の間の（ＴＡ当たりの）ページング数（または確率）に関する統計を導出できるように、加入者の動きの追跡により（タイプ１１次ＴＡの選択のための収集入力データに関して説明したように）この統計を補完しなければならない。
【０１４７】
サブ実施形態２ａと同様に、タイプ１およびタイプ２１次ＴＡは互いに独立に選択することに注意すべきであり、これは同じＴＡをタイプ１およびタイプ２１次ＴＡ双方として正しく選択できることを意味する。
【０１４８】
実施形態１と同様に、実施形態２は単一タイプ１またはタイプ２１次ＴＡ（またはタイプ１Ｂ１次ＴＡの単一ペア）の選択に制限されない。各タイプの複数１次ＴＡ（またはタイプ１Ｂ１次ＴＡの複数ペア）の選択も可能であり、各タイプの複数１次ＴＡは並列に（即ち、同時に）か、または位置若しくは１日の内の時間または現ＭＭＥプールに基づき使用することができる。さらにその上、実施形態１について説明した全ての拡張は実施形態２に適用可能でありうる。
【０１４９】
本発明を本発明の特定の例示的実施形態を参照して説明したが、多くの種々の変更、修正および同類が当業者に明らかになるであろう。説明した実施形態はそれ故本発明の範囲の制限を意図するものではなく、本発明の範囲は添付する特許請求の範囲により規定する。
【図１】
0005390633.tif 000002
【図２】
0005390633.tif 000003
【図３】
0005390633.tif 000004
【図４】
0005390633.tif 000005
【図５】
0005390633.tif 000006
【図６】
0005390633.tif 000007
【図７】
0005390633.tif 000008
【図８】
0005390633.tif 000009
【図９】
0005390633.tif 000010